(57)【要約】【課題】本発明は、無線通信システムに収容され、かつ通信サービスの提供に供される無線端末に関し、発信の操作の時から、通話、通信を開始するまでの時間を確度高く短縮できることを目的とする。【解決手段】シグナリングコネクションを確立してからサービスリクエストを送信することで、無線通信を行う無線端末において、発信又は送信操作に先行して行われる操作を検出する検出手段を備え、該検出により、シグナリングコネクションの確立のための要求を送信する送信手段を備えて構成される。【選択図】      図１
2005252828.tif 000002
【特許請求の範囲】
【請求項１】
シグナリングコネクションを確立してからサービスリクエストを送信することで、無線通信を行う無線端末において、
発信又は送信操作に先行して行われる操作を検出する検出手段を備え、
該検出により、前記シグナリングコネクションの確立のための要求を送信する送信手段を備えた
ことを特徴とする無線端末。
【請求項２】
前記送信手段は、前記発信又は送信操作により、前記サービスリクエストの送信を行う
ことを特徴とする請求項１記載の無線端末。
【請求項３】
前記送信手段は、前記発信又は送信操作が検出されない場合に、前記シグナリングコネクションの開放のための信号を送信する
ことを特徴とする請求項１記載の無線端末。
【発明の詳細な説明】
【技術分野】
【０００１】
本発明は、無線通信システムに収容され、かつ通信サービスの提供に供される無線端末に関する。
【背景技術】
【０００２】
近年、移動通信サービスの提供に供される携帯型の端末装置が広範に普及し、このような移動通信サービスを提供する通信業者の間だけではなく、上記の端末装置その他の装置の製造者の間における競争の下で、多様なサービスの提供と、性能や利便性の向上とが図られつつある。
図５は、移動通信システムの構成例を示す図である。
【０００３】
図において、無線基地局１１によって形成される無線ゾーン１２には、携帯型の端末装置１３-1〜１３-nが位置する。無線基地局１１は通信リンク１４を介して基地局制御局１５に接続され、その基地局制御局１５は局間リンク１６を介して移動体交換機１７に接続される。なお、以下では、端末装置１３-1〜１３-nに共通の事項については、添え番号「１」〜「ｎ」の何れにも該当し得ることを意味する添え文字「ｃ」を符号「１３」に付加することによって記述する。
【０００４】
このような移動通信システムでは、端末装置１３-cは、その端末装置１３-cの操作部を介してユーザによって電話系やデータ系サービスを目的として「発信操作」（例えば、電話番号を表示させてからの「通話」ボタンの押下またはメール文章の作成後に「送信」ボタンの押下）が行われると、「発信要求」に該当する「RRC CONNECTION REQUEST」メッセージを無線基地局１１宛に送信する（図７(1)、図８(1))。無線基地局１１は、通信リンク１４を介して基地局制御局１５にその「RRC CONNECTION REQUEST」メッセージを引き渡す。
【０００５】
基地局制御局１５は、この「RRC CONNECTION REQUEST」メッセージを識別すると、下記の手順に基づいて「シグナリングコネクションの確立」を図る。
・  通信リンク１４を介して無線基地局１１宛に「RADIO LINK SETUP REQUEST」メッセージを送信する（図７(2)、図９(1))ことによって、無線リンクの設定を要求する。
・  このような無線リンクの設定の完了を意味する「RADIO LINK SETUP RESPONSE」メッセージが無線基地局１１から引き渡される（図７(3))と、通信リンク１４を介してその無線基地局１１宛に「ESTABLISH REQUEST」 メッセージを送信する（図７(4)、図９(2))ことによって、Ｑ．２６３０．１リンクの設定を要求する。
・  そのＱ．２６３０．１リンクの設定の完了を意味する「ESTABLISH CONFIRM」 メッセージが無線基地局１１から引き渡される（図７(5))と、通信リンク１４および無線基地局１１を介して端末装置１３-c宛に、その旨を意味する「RRC CONNECTION SETUP」メッセージを送信する（図７(6)、図９(3))。
・  この「RRC CONNECTION SETUP」メッセージを識別した端末装置１３-cによって送信され、その旨を意味する「RRC CONNECTION SETUP COMPLETE」 メッセージ（図８(2))が上記の「RADIO LINK SETUP REQUEST」メッセージと同様に無線基地局１１を介して受信された（図７(7)) 時点で、上記の「シグナリングコネクションの確立」を完結する（図９(4))。
【０００６】
一方、端末装置１３-cは、上述した「RRC CONNECTION SETUP」メッセージを識別し（図７(8))、かつ「RRC CONNECTION SETUP COMPLETE」 メッセージを送信した（図７(9)、図８(2))後には、無線基地局１１および通信リンク１４を介して基地局制御局１５宛に、「INITIAL DIRECT TRANSFER(SERVIVE REQUEST)」メッセージを送信する（図７(10)、図８(3))。
【０００７】
また、基地局制御局１５は、この「INITIAL DIRECT TRANSFER(SERVIVE REQUEST)」メッセージを識別すると、局間リンク１６を介して移動体交換機１７宛に「INITIAL UE MESSAGE(SERVICE REQEST)」メッセージを送信する（図９(5))ことによって、該当する発信呼の呼処理の開始を要求する（図７(11)) 。さらに、基地局制御局１５は、この発信呼の呼設定にかかわる制御情報については、局間リンク１６に適用された通信手順の下でその移動体交換機１７に引き渡す。
【０００８】
したがって、上述した発信呼については、その発信呼の発信元である端末装置１３-cが無線基地局１１および通信リンク１４を介して基地局制御局１５と連係して行うチャネル制御の下で、トラヒックチャネルの割り付けが行われ、この基地局制御局１５と移動体交換機１７とが局間リンク１６を介して連係することによって呼設定が行われる（図７(12))。
【０００９】
なお、本発明に関連した先行技術としては、例えば、後述する特許文献１に開示されるように、「基地局が移動局から通信チャネルの割当て要求を受けた場合に、未使用のチャネルを調べて、その内の１つを割当て候補チャネルとして選択し、その割当て候補チャネルを、割当て要求した移動局に対して動的に割り当てる際に、この割当て候補チャネルを確保するために、チャネル確保信号を上りチャネルに先行して下りチャネルに送出することによって、基地局と移動局との接続をスムーズに、しかも確実になし得るディジタル移動通信システム」がある。
【特許文献１】特開平７−１５４８４３号公報
【発明の開示】
【発明が解決しようとする課題】
【００１０】
ところで、上述した従来例では、既述の「シグナリングコネクションの確立」（無線リンクおよびＱ．２６３０．１リンクの設定を含む。）は、発信元である端末装置１３-cの操作部を介して操作者が明示的に発信の操作（通話ボタン、送信ボタンの押下）を行った時点で開始され、その「シグナリングコネクションの確立」が完了した後に呼設定が開始される。
【００１１】
すなわち、上記の「発信の操作」を与えた操作者（例えば、通話ボタンを押下した操作者）が所望の着信先との通話を開始するために待機しなければならない時間が長くなってしまう。
本発明は、発信の操作の時から、通話、通信を開始するまでの時間を短縮できる無線端末を提供することを目的とする。
【課題を解決するための手段】
【００１２】
第１の発明では、シグナリングコネクションを確立してからサービスリクエストを送信することで、無線通信を行う無線端末において、発信又は送信操作に先行して行われる操作を検出する検出手段を備え、該検出により、前記シグナリングコネクションの確立のための要求を送信する送信手段、を備えたことを特徴とする無線端末を用いる。
第２の発明では、第１の発明において、前記送信手段は、前記発信又は送信操作により、前記サービスリクエストの送信を行う、ことを特徴とする無線端末を用いる。
【００１３】
第３の発明では、第１の発明において、前記送信手段は、前記発信又は送信操作が検出されない場合に、前記シグナリングコネクションの開放のための信号を送信する、ことを特徴とする無線端末を用いる。
【発明の効果】
【００１４】
本発明によれば、発信又は送信操作に先行して行われる操作を検出して、シグナリングコネクションの確立のための要求を行うため、従来に対して早期に通信（通話等）を行うことが可能となる。
【発明を実施するための最良の形態】
【００１５】
以下、図面に基づいて本発明の実施形態について詳細に説明する。
図１は、本発明の第一、第三および第四の実施形態の動作を説明する図である。
図２は、本発明の第一ないし第四の実施形態における端末装置の動作フローチャートである。
図３は、本発明の第一および第四の実施形態における基地局制御局の動作フローチャートである。
【００１６】
なお、これらの図１〜図３において、従来例と同じ処理については、それぞれ図６、図８および図９に示す番号と同じ番号を付与して示す。
［第一の実施形態］
以下、図１〜図３、図５および図６を参照して本発明の第一の実施形態の動作を説明する。
【００１７】
端末装置１３-cは、待ち受け状態では、操作部を介してユーザが行う操作の過程を監視し、その過程において、既述の「発信操作」に先行して行われる操作（以下、「発信先行操作」という。）が行われた（図１(a))ときには、「シグナリングコネクションの確立要求」に該当する「RRC CONNECTION REQUEST」メッセージを無線基地局１１宛に送信する（図１(1)、図２(1))。
【００１８】
発信先行操作として挙げられる例は、例えば次の操作である。
(1) 数字入力ボタン「０」〜「９」の押下
(2) 電話帳やアドレス帳に登録された個別の情報を参照する際の操作（特に、個別の電話番号を表示させる操作）
(3) 端末装置１３-cが折り畳み式の端末である場合において、折り畳まれた状態からキーパッドの操作が可能な状態とする操作
(4) その他、通信先を特定するために要求される一連の操作のうちの何れかの操作
また、端末装置１３-cは、このようにして無線基地局１１宛に「RRC CONNECTION REQUEST」メッセージを送信した後には、コネクションの解放が行われるまでは、更なる「RRC CONNECTION REQUEST」メッセージの再送信を規制する。
【００１９】
無線基地局１１は上述した「RRC CONNECTION REQUEST」メッセージに応じて従来例と同様に基地局制御局１５と連係し、その基地局制御局１５は「シグナリングコネクションの確立」を図る（図１(2)〜(9)、図２(2)、図３(1)〜(4))。
端末装置１３-cは、このような「シグナリングコネクションの確立」の過程で既述の「RRC CONNECTION SETUP」メッセージを識別し（図１(8))、さらに、「RRC CONNECTION SETUP COMPLETE」 メッセージを送信した（図１(9)、図２(2))時点（図１(b))では、その時点から経過する時間ｔの計時を開始し（図２(a))、この時間が規定の上限値ｔｕを上回る時点まで、例えば、「発信操作」（通話ボタン、送信ボタンの押下）のように、「その端末装置１３-cが真に発信したこと」を示す事象を監視して待機する。
【００２０】
なお、これら事象は、「該当する発信呼が完了呼となるために端末装置１３-cにおいて行われる全ての操作の完了」を意味しなくてもよく、例えば、完了呼率やサービス品質の低下が許容される範囲において、「端末装置１３-cに発信呼が生起したことを高い確度で示す操作」であってもよい。
端末装置１３-cは、上述した時間ｔが上限値ｔｕを上回った場合には、後述する処理を行うことなく、先行して行われた「シグナリングコネクションの確立」その他の処理の結果（無線リンクの設定およびＱ．２６３０．１リンクの設定を含む。）を無効化する（図２(b))。なお、このような無効化を実現する処理は、例えば、コネクションの開放を要求する信号を移動局が送信するか、又は、網側から、ＲＲＣコネクションリクエスト受信後、所定時間経過しても発信操作に応じて送信される信号を受信しない場合は、ＲＲＣコネクションの開放用の信号を移動局に送信する。
【００２１】
また、端末装置１３-cは、既述の時間ｔが上限値ｔｕを上回る前に上述した事象を識別した（図１(c))場合には、無線基地局１１および通信リンク１４を介して基地局制御局１５宛に、「INITIAL DIRECT TRANSFER(SERVIVE REQUEST)」メッセージを送信する（図１(10)、図２(3)) 。なお、このメッセージは、回線交換呼の場合は、発呼先の電話番号情報を含む「CALL SETUP」メッセージ、パケット呼の場合は、「ACTIVATION POP CONTEXT REQUEST」メッセージを含む。
【００２２】
基地局制御局１５は、この「INITIAL DIRECT TRANSFER(SERVIVE REQUEST)」メッセージを識別すると、局間リンク１６を介して移動体交換機１７宛に「INITIAL UE MESSAGE(SERVICE REQEST)」メッセージを送信することによって、該当する発信呼の呼処理の開始を要求し（図１(11)、図３(5)) 、局間リンク１６に適用された通信手順に基づいてこの発信呼の呼設定にかかわる制御情報をその移動体交換機１７と相互に交換する。
【００２３】
すなわち、「シグナリングコネクションの確立」の過程で無線基地局１１や基地局制御局１５によって行われる資源（ハードウエアを含む。）の確保、あるいは捕捉や割り付けを伴う「無線リンクの設定」、「Ｑ．２６３０．１リンクの設定」等の処理は、既述の「発信先行操作」のように、端末装置１３-cにおいて、後に発信操作がなされる可能性が高いことを意味する操作に応じて速やかに開始される。
【００２４】
なお、このような資源には、ハードウエアや無線リソース（周波数配置やチャネル構成に適合したチャネライゼーションコードや無線チャネルを含む。）だけではなく、「シグナリングコネクションの確立」を含むチャネル制御の処理に適用される各部の処理量および記憶領域に併せて、オペレーティングシステムによって一元的に管理される資源の全てが該当する。
【００２５】
さらに、このような処理に後続するチャネル制御や呼設定の手順は、端末装置１３-cにおいて、「発信操作」が完了し、あるいは「その発信呼が生起したことを確度高くで示す操作」が行われた時点で続行される。
したがって、本実施形態によれば、端末装置１３-cにおいて上記の「該当する発信呼が完了呼となるために行われる操作」が完了するまでこのような資源の確保が行われない場合に比べて、「端末装置１３-cに真に発信呼が生起したこと」が既述の「発信先行操作」に基づいて十分に高い確度で識別されるほど、チャネル制御や呼設定の効率が向上し、かつサービス品質が高められる。
【００２６】
なお、本実施形態では、時間ｔの計時は、基地局制御局１５宛に「RRC CONNECTION SETUP COMPLETE」 メッセージが送信された（図１(9)、図２(2))時点（図１(b))で、端末装置１３-cによって開始されている。
しかし、このような時間ｔの始点は、例えば、端末装置１３-cによって基地局制御１５宛に「RRC CONNECTION REQUEST」メッセージが送信された時点（図１(1))で開始されることによって、既述の「シグナリングコネクションの確立」に所要する時間がその時間ｔに含まれてもよい。
【００２７】
さらに、このような時間ｔの計時は、基地局制御局１５によって行われ、あるいはその基地局制御局１５と端末装置１３-cとの双方で行われることが望ましい場合には、例えば、図４に示すように、基地局制御局１５宛に送信される（図１(1))「RRC CONNECTION REQUEST」メッセージに「先行設定動作モードフラグ」が付加され、その「先行設定動作モードフラグ」がこれらの端末装置１３-cと基地局制御局１５との連係の下で下記の何れかに意味付けられてもよい。
(1) 該当する「RRC CONNECTION REQUEST」メッセージが「発信先行操作」に応じて送出されたこと。
(2) 上記(1) に併せて、基地局制御局１５によって時間ｔの計時が行われる（端末装置１３-cに代わって主導的に行われる場合と、その端末装置１３-cと並行して行われる場合との何れであってもよい。）こと。
【００２８】
また、このような場合には、基地局制御局１５と端末装置１３-cとで適用される上限値ｔｕの値は既定の定数でなくてもよく、例えば、チャネル制御の手順に基づいて、上記の「RRC CONNECTION REQUEST」メッセージその他に含まれる値に設定されてもよい。
さらに、本実施形態では、上限値ｔｕが具体的に示されていないが、このような上限値ｔｕは、下記の事項に適合した数秒ないし十秒程度の値に設定されることが望ましい。
・  チャネル制御や呼設定の手順
・  システムの構成
・  トラヒックの分布
［第二の実施形態］
以下、図２および図５を参照して本発明の第二の実施形態の動作を説明する。
【００２９】
本実施形態の特徴は、端末装置１３-cによって行われる下記の処理の手順にある。
端末装置１３-cは、操作部を介して操作者によって何らかの操作が行われる度に、下記の処理を行う。
・  操作者によって実際に行われた操作の履歴をとる（図２(4))。
・  その履歴を解析する（図２(5))ことによって、「自局に発信呼が確度高く生起したことの推定の基準」として適用可能な全ての「操作の手順」を識別する（図２(6))。
・  これらの「操作の手順」を既述の「発信先行操作」として識別する（図２(7))。
【００３０】
さらに、端末装置１３-cは、このようにして識別された全ての「操作の手順」を上述した第一の実施形態における「発信先行操作」として適用する。
なお、このようにして識別された「操作の手順」には、例えば、下記の事項が該当する。
・  「通話」ボタンの押下に先行して行われる全ての操作が完了した状態において、表示操作部の画面上に表示され、かつその「通話」ボタンに代替可能なアイコンやオブジェクトの上にカーソルが配置された時点
・  着信履歴の参照が行われた後に高い確率で発信が行われる場合に、その着信履歴の参照が行われた時点
すなわち、本実施形態では、端末装置１３-cの操作者によって実際に行われた操作の履歴に基づいて「発信先行操作」として識別可能な「操作の手順」が求められる。
【００３１】
したがって、このような「発信先行操作」が予め決められ、かつ変更されることがない場合に比べて、操作者による端末装置１３-cの利用の形態やその操作者のニーズおよび癖に対する柔軟な適応が可能となる。
なお、本実施形態では、上述した「発信先行操作」として識別可能な「操作の手順」は、操作の履歴に対して一括処理として施された解析の結果として予め求められている。
【００３２】
しかし、このような「発信先行操作」は、先行してとられた操作の履歴と、実際に操作者によって行われた操作との間における統計的な相互相関の結果（例えば、先行して行われた操作に後続して実際に発信が行われた頻度等）に基づいて識別されてもよい。
［第三の実施形態］
以下、図１、図２および図５を参照して本発明の第三の実施形態の動作を説明する。
【００３３】
本実施形態の特徴は、端末装置１３-cによって行われる下記の処理の手順にある。
端末装置１３-cは、上述した「シグナリングコネクションの確立」の過程で既述の「RRC CONNECTION SETUP」メッセージを識別し（図１(8))、さらに、「RRC CONNECTION SETUP COMPLETE」 メッセージを送信した（図１(9)、図２(2))とき（図１(b))には、その時点から既述の時間ｔの計時を開始する（図２(a))。
【００３４】
さらに、端末装置１３-cは、このような時間ｔの上限値ｔｕを下記の何れかの値として特定し（図２(A))、その上限値ｔｕに基づいて既述の第一の実施形態と同様の処理を行う。
・  端末装置１３-cに設定されたサービスオーダに適合する値（例えば、端末装置１３-cに要求されるサービスの品質が高いほど、大きな値）
・  「発信先行操作」に基づいて生起したと予想される発信呼の種別やその発信呼のチャネル制御（または呼設定）の手順に適合した値（例えば、電話系の発信呼とデータ系の発信呼との何れに該当するかに応じて定まる好適な値、あるいはこれらの発信呼にかかわるチャネル制御の手順に基づいて定まる値）
・  既述の「RRC CONECTION REQUEST」 メッセージの送信に供される無線チャネルの種別や状況（トラヒックの分布）等に適応した値（例えば、該当する無線チャネルの伝送容量、あるいはその無線チャネルの伝送容量の余剰分が大きい（輻輳の程度が軽い）ほど大きな値）
すなわち、『「発信先行操作」に応じて暫定的に開始されたチャネル制御の手順の続行』と、「該当する発信呼の呼設定の開始」とが許容される契機となる既述の事象の待ち受けが行われる期間の最大の長さ（＝ｔｕ）は、予め定数として設定されず、上記の多様な事項に応じて柔軟に設定される。
【００３５】
したがって、本実施形態によれば、これらの事項が考慮されることなく上限値ｔｕが設定される場合に比べて、システムの多様な構成に対する柔軟な適応に併せて、サービス品質や付加価値の向上が図られる。
［第四の実施形態］
以下、図１〜図３および図５を参照して本発明の第四の実施形態の動作を説明する。
【００３６】
本実施形態の特徴は、基地局制御局１５、無線基地局１１および端末装置１３-cが連係することによって行われる下記の処理の手順にある。
基地局制御局１５は、その基地局制御局１５によって本来的に行われるチャネル制御の処理に並行して、下記の処理を行う。
・  既述の「無線リンクの設定」、「Ｑ．２６３０．１リンクの設定」に際して捕捉され、または割り付けられ得るハードウエア等の資源の捕捉や解放が行われる度に、もしくは既定の頻度で、これらの資源の全体に対する残量の比率Ｒを求める（図３(a))。
・  無線基地局１１を介して端末装置１３-c宛に、例えば、報知情報として、その比率Ｒを通知する（図３(b))。
【００３７】
端末装置１３-cは、このような比率Ｒを取得し、かつ既述の「発信先行操作」が行われても、その比率Ｒが規定の閾値を下回る場合には、無線基地局１１に対する「RRC CONNECTION REQUEST」メッセージの送信（図２(1))およびこれに後続する処理（図２(2)、…）の起動を見合わせる（図２(B))。
すなわち、「無線リンクの設定」および「Ｑ．２６３０．１リンクの設定」のように資源の確保を伴う処理は、端末装置１３-cにおいて「発信先行操作」が行われた場合であっても、その確保の対象となる資源が残存していない場合には、行われない。
【００３８】
したがって、本実施形態によれば、このような資源の残量が考慮されない場合に比べて、トラヒックや輻輳の程度に対する柔軟な適応が図られる。
なお、本実施形態では、上記の比率Ｒは、基地局制御局１５に備えられた資源の全体に対する比率ではなく、これらの資源の内、セルや無線ゾーン毎に備えられた資源の総量に対する比率として求められてもよい。
【００３９】
また、本実施形態では、これらの比率の算定の基礎となる資源の総量は、例えば、下記の何れであってもよい。
・  何らかの呼や端末に平均的に割り付けられる資源の総量
・  最繁時に何らかの呼や端末に割り付けられる資源の最大の総量
・  これらの総量の内、「発信先行操作」に応じて生起した呼（実体的に発生した呼以外の呼が含まれてもよい。）に割り付けられる総量
さらに、本実施形態では、上記の比率Ｒは、基地局制御局１５によって主導的に求められ、かつ端末装置１３-cに通知されている。
【００４０】
しかし、このような比率Ｒを求めるために行われる処理は、基地局制御局１５、無線基地局１１および端末装置１３-cの全てまたは一部の連係が「伝送品質やサービス品質の劣化が許容される限度」において可能であるならば、多様な分散処理として実現可能である。
また、この分散処理の過程では、基地局制御局１５が残存する資源の量を端末装置１３-cもしくは無線基地局１１に報知し、その端末装置１３-cまたは無線基地局１１によって、その資源の量の余裕度が規定の閾値を下回るか否かの判別が行われてもよい。
【００４１】
さらに、このような判別の結果が真である場合における「シグナリングコネクションの確立」の処理の開始（または続行）の規制は、必ずしも、端末装置１３-cの主導の下で行われなくてもよく、例えば、その端末装置１３-c、無線基地局１１および基地局制御局１５の全てまたは一部の連係の下で達成されてもよい。
また、上述した資源の量の余裕度の算定の基準となる値は、端末装置１３-cに予め定数として与えられなくてもよく、例えば、無線基地局１１と基地局制御局１５との何れか一方によって求められ、あるいはこれらの無線基地局１１と基地局制御局１５との連係の下で求められ、かつ報知情報等として端末装置１３-cに通知されることによって、システムの系構成や過負荷の程度に対する柔軟な適応が図られてもよい。
【００４２】
さらに、上述した各実施形態では、端末装置１３-cに生起した発信呼のチャネル制御が「発信先行操作」に応じて起動されている。
しかし、このようなチャネル制御は、例えば、端末装置１３-cの操作表示部を介して操作者によって特定の操作が行われた場合には、「発信先行操作」の判別が省略され、かつ従来例と同様に通常の「発信操作」に応じて開始されてもよい。
【００４３】
また、上述した各実施形態では、「発信先行操作」に応じて端末装置１３-cが基地局制御局１５宛に「RRC CONNECTION REQUEST」メッセージを送信することによって、その端末装置１３-cに生起し得る発信呼のチャネル制御が開始されている。
しかし、本発明は、このような構成に限定されず、例えば、無線基地局（基地局制御局）の主導の下で行われるポーリングに応じて端末装置がその無線基地局（基地局制御局）に対して明示的に「発信の通知」を送出し、かつ、このような「発信の通知」の送出がチャネル制御に該当しない無線通信システムにも、その端末装置が真に発信することが確定したときにチャネル制御が新たに開始されることによって、適用可能である。
【００４４】
さらに、上述した各実施形態では、ワイドバンドＣＤＭＡ方式が適用された移動通信システムに本発明が適用されている。
しかし、本発明は、このような移動通信システムに限定されず、多様な多元接続方式、チャネル構成、ゾーン構成、周波数配置が適用された無線通信システムに柔軟に適用可能である。
【００４５】
また、上述した各実施形態では、「発信先行操作」に応じて起動される「シグナリングコネクションの確立」の過程では、「無線リンクの設定」および「Ｑ．２６３０．１リンクの設定」に必要な資源が確保されている。
しかし、このように確保される資源は、本発明が適用された無線通信システムの構成に適応し、かつ端末装置１３-cに真に発信呼が生起したことが識別される時点に先行する捕捉が許容されるならば、どのような資源であってもよい。
【００４６】
さらに、上述した「シグナリングコネクションの確立」の過程では、「無線リンクの設定」に併せて、「Ｑ．２６３０．１リンクの設定」が行われている。
しかし、本発明は、このような「Ｑ．２６３０．１リンクの設定」に代えて、例えば、「ＱＡＡＬ２」に適合したリンクの設定が行われる移動通信システムや無線伝送システムにも適用可能である。
【００４７】
また、上述した各実施形態では、無線端末１３-cと無線基地局１１との間だけでは、その無線基地局１１と基地局制御局１５との間におけるメッセージ等の引き渡しに供される無線チャネルおよび通信プロトコルが示されていない。
しかし、これらの無線チャネルや通信プロトコルは、既述のメッセージ等の引き渡しが達成されるならば、どのようなものであってもよい。
【００４８】
さらに、本発明は上述した実施形態に限定されるものではなく、本発明の範囲において多様な形態による実施形態が可能であり、かつ構成装置の全てまたは一部に如何なる改良が施されてもよい。
以下、上述した各実施形態に開示された発明を階層的・多面的に整理し、付記項として列記する。
（付記１）  無線通信網にアクセスし、通信サービスの提供に供される無線端末において、
自局の発信に先行して操作者によって確度高く行われる第一の操作と、前記操作者によって行われ、かつ前記発信を意味する第二の操作とを判別する判別手段と、
前記第一の操作に応じて前記無線通信網に対する前記発信の通知を行い、かつ前記第二の操作に応じて前記発信によって生起した呼のチャネル制御を開始し、または続行する制御手段と
を備えたことを特徴とする無線端末。
（付記２）  付記１に記載の無線端末において、
前記操作者によって行われる操作の履歴に基づいて前記第一の操作の判別の基準を学習する学習手段を備え、
前記判別手段は、
前記判別の基準に基づいて前記第一の操作を判別する
ことを特徴とする無線端末。
（付記３）  付記１または付記２に記載の無線端末において、
前記制御手段は、
前記第一の操作が判別された時点から経過した時間が規定の上限値を超えたときに、前記チャネル制御を中止し、または前記無線通信網に前記中止を要求する
ことを特徴とする無線端末。
（付記４）  付記１ないし付記３の何れか１項に記載の無線端末において、
前記規定の上限値は、
自局のサービスオーダ、前記呼の種別、前記呼に割り付けられる無線チャネルもしくは伝送路の状況の全てまたは一部に適応した値である
ことを特徴とする無線端末。
（付記５）  付記１ないし付記４の何れか１項に記載の無線端末において、
前記制御手段は、
前記通知を行った後には、前記呼が存続する期間における再度の通知を見合わせる
ことを特徴とする無線端末。
（付記６）  付記１ないし付記５の何れか１項に記載の無線端末において、
前記制御手段は、
前記無線通信網から通知され、かつ前記無線通信網に備えられた資源の内、残存する資源の比率が規定の下限値を下回っているときに、前記発信の通知を見合わせる
ことを特徴とする無線端末。
（付記７）  付記１ないし付記５の何れか１項に記載の無線端末において、
前記制御手段は、
前記無線通信網に備えられた資源の総量と、その資源の内、残存する資源の量とが前記無線通信網から通知され、これらの量と総量との比が規定の下限値を下回るときに、前記発信の通知を見合わせる
ことを特徴とする無線端末。
【図面の簡単な説明】
【００４９】
【図１】本発明の第一、第三および第四の実施形態の動作を説明する図である。
【図２】本発明の第一ないし第四の実施形態における端末装置の動作フローチャートである。
【図３】本発明の第一および第四の実施形態における基地局制御局の動作フローチャートである。
【図４】「RRC CONNNECTION REQUEST」 メッセージの構成を示す図である。
【図５】移動通信システムの構成例を示す図である。
【図６】端末装置の操作表示部の一例を示す図である。
【図７】従来例におけるチャネル制御の過程を示す図である。
【図８】従来例における端末装置の動作フローチャートである。
【図９】従来例における基地局制御局の動作フローチャートである。
【符号の説明】
【００５０】
１１  無線基地局
１２  無線ゾーン
１３  端末装置
１４  通信リンク
１５  基地局制御局
１６  局間リンク
１７  移動体交換機
【図１】
2005252828.tif 000003
【図２】
2005252828.tif 000004
【図３】
2005252828.tif 000005
【図４】
2005252828.tif 000006
【図５】
2005252828.tif 000007
【図６】
2005252828.tif 000008
【図７】
2005252828.tif 000009
【図８】
2005252828.tif 000010
【図９】
2005252828.tif 000011